(57)【要約】【課題】比較的小容量のメモリでも充分に的確に音声案内可能なナビゲーションシステムを提供する。【解決手段】移動端末装置１と、センタ装置３とを備え、移動端末装置１は、現在位置を測位するナビゲーション部１１と、測位された現在位置を地図情報と共に表示するナビゲーション表示部１３と、希望する言語を指定する操作部１２と、指定された言語の情報を送信し、センタ装置３より指定された言語の必要な音声データを受信する送受信部１６と、受信された音声データを記憶する音声データ記憶部１４と、測位された現在位置を基に音声データ記憶部１４から必要な音声データを読み出し出力する音声出力部１５とを備え、これにより、希望する言語を指定することにより、希望する言語の必要な音声データを入手することができ、音声データ記憶装置１４として大きな容量のものを必要としない。【選択図】図１
2005249652.tif 000002
【特許請求の範囲】
【請求項１】
移動端末装置と、前記移動端末装置と通信可能なセンタ装置とを備え、前記移動端末装置は、現在位置を測位する測位手段と、前記測位手段で測位された現在位置を地図情報と共に表示するナビゲーション表示手段と、希望する言語を指定する操作手段と、前記測位された現在位置及び前記指定された言語の情報をそれぞれ送信し、前記指定された言語の前記現在位置に関連する案内に必要な音声データを前記センタ装置より受信する第一の送受信手段と、前記第一の送受信手段で受信された音声データを記憶する音声データ記憶手段と、前記測位された現在位置を基に前記音声データ記憶手段に記憶された音声データから必要な音声データを読み出し音声出力する音声出力手段とを備え、前記センタ装置は、前記測位された現在位置及び前記指定された言語の情報をそれぞれ受信し、前記測位された現在位置及び前記指定された言語の情報を基に指定された言語の前記現在位置に関連する案内に必要な音声データを送信する第二の送受信手段と、複数の言語の音声データテーブルを有する音声データベースと、前記第二の送受信手段より送信する前記必要な音声を前記音声データベースから読み出す制御手段とを備えたことを特徴とするナビゲーションシステム。
【請求項２】
前記測位された現在位置に関連する案内をするのに必要な音声データが前記音声データ記憶手段に記憶されているかどうかを判断する判断手段と、前記必要な音声データが記憶されていない場合に、前記測位された現在位置の情報を前記センタ装置に再び送信し、前記現在位置に関連する案内をするのに必要な音声データを改めて入手する入手手段とを更に備えたことを特徴とする請求項１に記載のナビゲーションシステム。
【請求項３】
移動端末装置と、前記移動端末装置と通信可能なセンタ装置とを備え、前記移動端末装置は、現在位置を測位する測位手段と、前記測位手段で測位された現在位置を地図情報と共に表示するナビゲーション表示手段と、目的地を指定し、前記目的地までの経路を探索する経路探索手段と、希望する言語を指定する操作手段と、前記探索された目的地までの経路及び前記指定された言語の情報をそれぞれ送信し、前記指定された言語の前記目的地までの経路案内に必要な音声データを前記センタ装置から受信する第一の送受信手段と、前記第一の送受信手段で受信された音声データを記憶する音声データ記憶手段と、前記測位された現在位置を基に前記音声データ記憶手段に記憶された音声データから必要な音声データを読み出し音声出力する音声出力手段とを備え、前記センタ装置は、前記探索された目的地までの経路及び前記指定された言語の情報をそれぞれ受信し、前記探索された経路及び前記指定された言語の情報を基に指定された言語の前記目的地までの経路案内に必要な音声データを送信する第二の送受信手段と、複数の言語の音声データテーブルを有する音声データベースと、前記第二の送受信手段より送信する前記必要な音声を前記音声データベースから読み出す制御手段とを備えたことを特徴とするナビゲーションシステム。
【請求項４】
前記探索された目的地までの経路を案内するのに必要な音声データが前記音声データ記憶手段に記憶されているかどうかを判断する判断手段と、必要な音声データが記憶されていない場合、前記目的地までの経路の情報を前記センタ装置に再び送信し、前記目的地までの経路を案内するのに必要な音声データを改めて入手する入手手段とを更に備えたことを特徴とする請求項３に記載のナビゲーションシステム。
【請求項５】
現在位置を測位する測位手段と、前記測位手段で測位された現在位置を地図情報と共に表示するナビゲーション表示手段と、希望する言語を指定する操作手段と、前記測位された現在位置及び前記指定された言語の情報をそれぞれ送信し、前記指定された言語の前記現在位置に関連する案内に必要な音声データを他の装置から受信する送受信手段と、前記送受信手段で受信された音声データを記憶する音声データ記憶手段と、前記測位された現在位置を基に前記音声データ記憶手段に記憶された音声データから必要な音声データを読み
出し音声出力する音声出力手段とを備えたことを特徴とする移動端末装置。
【請求項６】
現在位置を測位する測位手段と、前記測位手段で測位された現在位置を地図情報と共に表示するナビゲーション表示手段と、目的地を指定し、目的地までの経路を探索する経路探索手段と、希望する言語を指定する操作手段と、前記探索された目的地までの経路及び前記指定された言語の情報をそれぞれ送信し、前記指定された言語の前記目的地までの経路案内に必要な音声データを他の装置から受信する送受信手段と、前記送受信手段で受信された音声データを記憶する音声データ記憶手段と、前記測位された現在位置を基に前記音声データ記憶手段に記憶された音声データから必要な音声データを読み出し音声出力する音声出力手段とを備えたことを特徴とする移動端末装置。
【請求項７】
他の装置によって測位された現在位置及び指定された言語の情報をそれぞれ受信し、前記測位された現在位置及び前記指定された言語の情報を基に指定された言語の前記現在位置に関連する案内に必要な音声データを送信する送受信手段と、複数の言語の音声データテーブルを有する音声データベースと、前記送受信手段より送信する前記必要な音声データを前記音声データベースから読み出す制御手段とを備えたことを特徴とするセンタ装置。
【請求項８】
他の装置によって探索された目的地までの経路及び指定された言語の情報をそれぞれ受信し、前記探索された経路及び前記指定された言語の情報を基に指定された言語の前記目的地までの経路案内に必要な音声データを送信する送受信手段と、複数の言語の音声データテーブルを有する音声データベースと、前記送受信手段より送信する前記必要な音声データを前記音声データベースから読み出す制御手段とを備えたセンタ装置。
【発明の詳細な説明】
【技術分野】
【０００１】
本発明は、音声で道案内などを行う音声案内ナビゲーションシステムに関する。
【背景技術】
【０００２】
従来、ナビゲーションシステムにおいて、音声案内するための方言、言語などをそれぞれ言語データベースメモリに記憶しておき、車両の現在位置に応じて自動的に、その地にあった方言、言語などを呼出し、その方言、言語などを用いて案内するものが知られている（例えば、特許文献１参照）。このものによれば、その地にあった方言、言語などで案内がなされるため、その地に馴染みやすいというメリットを有する。
【０００３】
また、地名、施設名などを母国語で案内するだけでなく、現地語でも続けて案内するというもの、或いは、同じ言語でも、異なる言い方があった場合、それらを併せて発生するというものも知られている（例えば、特許文献２参照）。これによれば、母国語が英語である場合、フランスでは、英語のほかにフランス語でも同じ地名、施設名等を続けて案内することになり、フランス語で同じ地名、施設名等を認知することができ、また、同じ言語でも、例えば、国道１号線を、単に、国道１号線と案内するだけでなく、京浜国道と続けて案内することになるため、一方しか分からない者にとっても、非常に分かりやすくなるという利点を有する。
【特許文献１】特開平８―１２４０９２号公報
【特許文献２】特開２００３−１４４８５号公報
【発明の開示】
【発明が解決しようとする課題】
【０００４】
しかしながら、従来知られているこの種のナビゲーションシステムでは、異なる方言、言語をすべてナビゲーションシステムそのもののメモリに登録しておくようにしており、メモリとして非常に大容量のものを必要とし、高価になるという問題を有していた。
【０００５】
本発明は、以上のような従来の問題に鑑みてなされたものであり、比較的小容量のメモリでも充分に的確に音声案内可能なナビゲーションシステムを提供するものである。
【課題を解決するための手段】
【０００６】
本発明のナビゲーションシステムは、移動端末装置と、この移動端末装置と通信可能なセンタ装置とを備え、移動端末装置は、現在位置を測位する測位手段と、測位手段で測位された現在位置を地図情報と共に表示するナビゲーション表示手段と、希望する言語を指定する操作手段と、測位された現在位置及び指定された言語の情報をそれぞれ送信し、指定された言語の現在位置に関連する案内に必要な音声データをセンタ装置より受信する第一の送受信手段と、第一の送受信手段で受信された音声データを記憶する音声データ記憶手段と、測位された現在位置を基に音声データ記憶手段に記憶された音声データから必要な音声データを読み出し音声出力する音声出力手段とを備え、センタ装置は、測位された現在位置及び指定された言語の情報をそれぞれ受信し、測位された現在位置及び指定された言語の情報を基に指定された言語の現在位置に関連する案内に必要な音声データを送信する第二の送受信手段と、複数の言語の音声データテーブルを有する音声データベースと、第二の送受信手段より送信する必要な音声を音声データベースから読み出す制御手段とを備えた構成を有する。
【０００７】
この構成により、希望する言語を移動端末装置で指定することにより、センタ装置より希望する言語の現在位置に関連する案内をするための、例えば、地名、施設名などの案内
用の音声データを入手することができ、現在位置に関連する案内を希望する言語で行える。
【０００８】
また、本発明のナビゲーションシステムは、測位された現在位置に関連する案内をするのに必要な音声データが前記音声データ記憶部に記憶されているかどうかを判断する判断手段と、必要な音声データが記憶されていないとき、測位された現在位置の情報をセンタ装置に再び送信し、現在位置の周辺を案内するのに必要な音声データを改めて入手する入手手段とを更に備えた構成を有する。
【０００９】
この構成により、一旦現在位置に関連する案内をするのに必要な音声データを入手した場合でも、現在位置が移動し、音声データ記憶部に現在位置に関連する案内をするのに必要な情報がなくなったとき、改めて、自動的に新たな現在位置に関連する案内に必要な音声データが入手されることになり、引き続いて現在位置に関連する案内を希望する言語で行うことができるという作用を有する。
【００１０】
また、本発明のナビゲーションシステムは、移動端末装置と、この移動端末装置と通信可能なセンタ装置とを備え、移動端末装置は、現在位置を測位する測位手段と、測位手段で測位された現在位置を地図情報と共に表示するナビゲーション表示手段と、目的地を指定し、目的地までの経路を探索する経路探索手段と、希望する言語を指定する操作手段と、探索された目的地までの経路及び指定された言語の情報をそれぞれ送信し、指定された言語の前記目的地までの経路案内に必要な音声データをセンタ装置から受信する第一の送受信手段と、第一の送受信手段で受信された音声データを記憶する音声データ記憶手段と、測位された現在位置を基に音声データ記憶手段に記憶された音声データから必要な音声データを読み出し音声出力する音声出力手段とを備え、センタ装置は、探索された目的地までの経路及び指定された言語の情報をそれぞれ受信し、探索された経路及び指定された言語の情報を基に指定された言語の目的地までの経路案内に必要な音声データを送信する第二の送受信手段と、複数の言語の音声データテーブルを有する音声データベースと、第二の送受信手段より送信する必要な音声を音声データベースから読み出す制御手段とを備えた構成を有する。
【００１１】
この構成により、希望する言語を移動端末装置で指定することにより、センタ装置より希望する言語の目的地までの経路案内に必要な音声データを入手することができ、目的地までの経路案内を希望する言語で行うことができる。
【００１２】
また、本発明のナビゲーションシステムは、探索された目的地までの経路を案内するのに必要な音声データが音声データ記憶手段に記憶されているかどうかを判断する判断手段と、必要な音声データが記憶されていないとき、目的地までの経路の情報をセンタ装置に再び送信し、目的地までの経路を案内するのに必要な音声データを改めて入手する入手手段とを更に備えた構成を有する。
【００１３】
この構成により、目的地までの経路を案内するのに必要な音声データを分割して現在位置に近い部分の音声データのみを入手した場合でも、現在位置が移動し、その音声データでは、もはや目的地までの経路を案内できなくなる段階で、改めて、新たな現在位置から目的地までの経路を案内するための音声データが入手されることになり、したがって、この状態で、引き続いて現在位置から目的地までの経路を正確に希望する言語で案内することが可能になる。
【００１４】
また、本発明の移動端末装置は、現在位置を測位する測位手段と、測位手段で測位された現在位置を地図情報と共に表示するナビゲーション表示手段と、希望する言語を指定する操作手段と、測位された現在位置及び指定された言語の情報をそれぞれ送信し、指定さ
れた言語の現在位置に関連する案内に必要な音声データを他の装置から受信する送受信手段と、送受信手段で受信された音声データを記憶する音声データ記憶手段と、測位された現在位置を基に音声データ記憶手段に記憶された音声データから必要な音声データを読み出し音声出力する音声出力手段とを備えた構成を有する。
【００１５】
この構成により、移動端末装置において、他の装置からの希望する言語の音声データを用いて正確に現在位置に関連する案内を行うことができる。
【００１６】
また、本発明の移動端末装置は、現在位置を測位する測位手段と、測位手段で測位された現在位置を地図情報と共に表示するナビゲーション表示手段と、目的地を指定し、目的地までの経路を探索する経路探索手段と、希望する言語を指定する操作手段と、探索された目的地までの経路及び指定された言語の情報をそれぞれ送信し、指定された言語の目的地までの経路案内に必要な音声データをセンタ装置から受信する送受信手段と、送受信手段で受信された音声データを記憶する音声データ記憶手段と、測位された現在位置を基に音声データ記憶手段に記憶された音声データから必要な音声データを読み出し音声出力する音声出力手段とを備えた構成を有する。
【００１７】
この構成により、移動端末装置において、他の装置からの希望する言語の音声データを用いて正確に目的地間での経路を案内することができる。
【００１８】
また、本発明のセンタ装置は、他の装置によって測位された現在位置及び指定された言語の情報をそれぞれ受信し、測位された現在位置及び指定された言語の情報を基に指定された言語の現在位置に関連する案内に必要な音声データを送信する送受信手段と、複数の言語の音声データテーブルを有する音声データベースと、送受信手段より送信する必要な音声データを音声データベースから読み出す制御手段とを備えた構成を有する。
【００１９】
この構成により、他の装置より測位された現在位置及び希望する言語の情報が送信され、受信されれば、それに応じて、希望する言語の現在位置に関連する案内に必要な音声データを希望した情報端末装置に正確に送信することができる。
【００２０】
また、本発明のセンタ装置は、他の装置によって探索された目的地までの経路及び指定された言語の情報をそれぞれ受信し、探索された経路及び指定された言語の情報を基に指定された言語の目的地までの経路案内に必要な音声データを送信する送受信手段と、複数の言語の音声データテーブルを有する音声データベースと、送受信手段より送信する必要な音声データを音声データベースから読み出す制御手段とを備えた構成を有する。
【００２１】
この構成により、他の装置より目的地までの経路及び希望する言語の情報が送信されれば、それを受信し、その受信した情報に基づいて希望する言語の目的地までの経路を案内するための音声データを正確に希望した情報端末装置に送信することができる。
【発明の効果】
【００２２】
本発明のナビゲーションシステムは、移動端末装置と、この移動端末装置と通信可能なセンタ装置とを備え、移動端末装置は、現在位置を測位する測位手段と、測位手段で測位された現在位置を地図情報と共に表示するナビゲーション表示手段と、希望する言語を指定する操作手段と、測位された現在位置及び指定された言語の情報をそれぞれ送信し、指定された言語の現在位置に関連する案内に必要な音声データをセンタ装置より受信する第一の送受信手段と、第一の送受信手段で受信された音声データを記憶する音声データ記憶手段と、測位された現在位置を基に音声データ記憶手段に記憶された音声データから必要な音声データを読み出し音声出力する音声出力手段とを備え、センタ装置は、測位された現在位置及び指定された言語の情報をそれぞれ受信し、測位された現在位置及び指定され
た言語の情報を基に指定された言語の現在位置に関連する案内に必要な音声データを送信する第二の送受信手段と、複数の言語の音声データテーブルを有する音声データベースと、第二の送受信手段より送信する必要な音声を音声データベースから読み出す制御手段とを備えたものであり、したがって、希望する言語を移動端末装置で指定することにより、センタ装置より希望する言語の現在位置に関連する案内をするための、例えば、地名、施設名などの案内用の音声データを入手することができ、現在位置に関連する案内を希望する言語で行うことができる。そして、移動端末装置には大きな容量の音声データ記憶装置を必要としない。
【発明を実施するための最良の形態】
【００２３】
以下、本発明の一実施の形態におけるナビゲーションシステムについて、図面を用いて詳細に説明する。
【００２４】
図１は、本発明の一実施の形態におけるナビゲーションシステムの構成を示す概略ブロック図である。
【００２５】
本発明の一実施の形態におけるナビゲーションシステムは、図１に示すように、車両などに搭載したり、手で持って携帯したりする移動端末装置１と、無線電話回線、インターネット、その他のネットワーク２を介して、移動端末装置１と互いに通信可能なセンタ装置３とを備えている。
【００２６】
移動端末装置１は、例えば、一つの測位手段としてのＧＰＳ衛星から電波を受信して現在位置を測位したり、現在位置から目的地までの経路を探索したりするナビゲーション部１１と、各種情報を入力したり、各種指令を入力したりする操作部１２と、操作部１２で入力した各種情報や各種指示、更には、ナビゲーション部１１で測位した現在位置、探索した目的地までの経路、地図などを表示するナビゲーション表示部１３と、音声案内するための各種音声データを記憶しておく音声データ記憶部１４と、音声案内のための音声信号を出力する音声出力部と１５、センタ装置３との間で各種情報のやりとりを行う送受信部１６と、これらを制御する制御部１７とを備えている。
【００２７】
センタ部３は、移動端末装置１との間で各種情報のやり取りを行う送受信部３１と、音声案内のための音声データを蓄積した音声データベース３２と、これらを制御する制御部３３とを備えている。
【００２８】
なお、音声データベース３２は、地名、施設名、道路名などをそれぞれ異なる方言、言語などで案内可能なように、異なる方言、言語などのそれぞれの音声データテーブルを備えている。たとえば、日本語音声データテーブル、英語音声データテーブル、フランス語音声データテーブル、ドイツ語音声データテーブル、スペイン語音声データテーブルなど、複数の音声データテーブルを備えている。
【００２９】
次に、本発明の一実施の形態におけるナビゲーションシステムについて、その動作を説明する。
【００３０】
図２は、本発明の一実施の形態におけるナビゲーションシステムの動作を示すフローチャートである。
【００３１】
本発明の一実施の形態におけるナビゲーションシステムにおいて、移動端末装置１に電源が投入されると、それ以降は、常時、現在位置がナビゲーション部１１において測位される状態になる（Ｓ２０１）。現在位置が測位されると、測位された現在位置が地図情報と共にナビゲーション表示部１３に表示される。ここで、ナビゲーション表示部１３に表
示される地図情報（地名、施設名、道路名など）は、予め移動端末装置１のナビゲーション部１１が保有する言語で表示される。
【００３２】
今、この状態で、操作部１２を用いて、目的地を設定するかどうかを決定し（Ｓ２０２のＹ）、目的地を設定すると（Ｓ２０３）、目的地までの経路が探索され（Ｓ２０４）、目的地までの経路がナビゲーション表示部１３に表示される。
【００３３】
そして、目的地までの経路がナビゲーション表示部１３に表示された状態、或いは、目的地を設定しない場合（Ｓ２０２のＮ）には、目的地までの経路は表示されないが、その状態で、希望する言語を、操作部１２を用いて指定すると（Ｓ２０５）、制御部１７の制御の下で、指定した言語の情報に加え、現在位置の情報、及び／又は、目的地までの経路の情報が送受信部１６を介して、センタ部３に送信される（Ｓ２０６）。
【００３４】
センタ部３に、指定した言語の情報、現在位置の情報、及び／又は、目的地までの経路の情報が送信されると（Ｓ２０６）、これらがセンタ部３の送受信部３１で受信され（Ｓ２０７のＹ）、制御部３３の制御の下で、指定した言語に基づく現在位置情報周辺を案内する音声情報、及び／又は、目的地までの経路及びその周辺を案内するために必要な音声情報が、音声データベース３２からそれぞれ読み出され（Ｓ２０８）、それらが制御部３３の制御の下で、送受信部３１を介して移動端末装置１側に送信される（Ｓ２０９）。
【００３５】
すなわち、指定した言語が日本語であれば日本語、英語であれば英語、フランス語であればフランス語の音声データが読み出され送信される。そして、その場合、目的地までの経路を設定していた場合には、その設定された目的地までの経路を案内するのに必要な音声データ、或いは、それに加えて、その周辺の地名、施設名などを案内する音声データ、目的地が設定されていない場合には、現在位置周辺（例えば、５００ｍ以内、１ｋｍ以内などの周辺）の地名、施設名、その他の案内に必要な音声データがそれぞれ読み出され移動端末装置１側に送信される。
【００３６】
これらの音声データが移動端末装置１側に送信されると（Ｓ２０９）、それらが移動端末装置１の送受信部１６で受信され（Ｓ２１０）、それらが制御部１７の制御の下で、一旦、音声データ記憶部１４に記憶される（Ｓ２１１）。そして、制御部１７の制御の下で音声データ記憶部１４に案内に必要な音声データがあるかどうか判断され（Ｓ２１２）、あれば（Ｓ２１２のＹ）、現在位置の情報に基づき、例えば、現在位置の先にある地名、施設名、交差点、進行方向、その他、必要な音声データを読み出して、音声出力部１５を通してスピーカより音声として出力する（Ｓ２１３）。
【００３７】
一方、音声データ記憶部１４に案内に必要な音声データがなければ（Ｓ２１２のＮ）、現在位置の情報、及び／又は、目的地までの経路の情報を再び移動端末装置１の送受信部１６よりセンタ装置３に送信し（Ｓ２０６）、上記と同様に、センタ装置３から、現在位置に関連する案内としての現在位置周辺の案内に必要な音声データ、及び／又は、目的地までの経路までの案内に必要な音声データを指定された言語で入手するように動作する（Ｓ２０８〜Ｓ２１２）。そして、これを繰返す。本実施の形態では、現在位置に関連する案内として、現在位置周辺を例に説明したが、これに限ることはなく、目的地までの経路に関する案内など、任意に選べることは言うまでもない。
【００３８】
なお、Ｓ２０７で  移動端末装置１から各種の情報が受信されない場合は、所定のタイミングで受信動作を繰り返す（Ｓ２０７のＮ）。
このように、本実施の形態によれば、希望する言語を移動端末装置１で指定し、それをセンタ装置３に送信すれば、センタ装置３より指定された言語の音声データが自動的に移動端末装置１に送信されてくるように構成されており、移動端末装置１では、これを受信し
て一旦音声データ記憶部１４に記憶し、必要に応じて必要な音声データを読み出し使用することができ、移動端末装置１としては、大きな容量の音声データ記憶部１４を必要としないという利点を有する。
【００３９】
また、本実施の形態によれば、目的地を設定しておけば、目的地までの経路を探索し、その探索された経路に基づいて、その経路を案内するのに必要な音声データが自動的にセンタ装置３より送信され、目的地を設定していない場合でも、ナビゲーション部１１で測位された現在位置の周辺の地名、施設名などの案内に必要な音声データが送信されてくるように構成されており、いずれの場合も、必要な音声データを希望する言語で容易に得ることができるという効果を有する。
【００４０】
また、本実施の形態によれば、現在位置を基に、音声データ記憶部１４に案内に必要な音声データが存在するかどうか判断し、ない場合には、現在位置を基に、再び、現在位置、目的地までの経路などをセンタ装置３に送信し、センタ装置３より必要な音声データを入手し、音声データ記憶部１４に記憶するようにしており、音声データ記憶部１４の記憶容量を余り大きく取れない携帯型の移動端末装置、車載用の移動端末装置でも十分対応することができるという作用を有する。
【００４１】
尚、本実施の形態では、目的地を設定する場合、目的地を設定し、目的地までの経路を探索した後で、希望する言語を指定するようにしているが、言語を指定する場合、その指定を目的地を設定する前に行うようにしても良い。また、電源投入毎にいちいち言語を指定しなくても、前に指定した言語の情報を、例えば、不揮発性のメモリなどに一旦記憶しておき、電源投入と同時に、そのメモリに記憶された言語の情報を読み出して、センタ装置３に送信するようにしても良い。このようにすれば、一度、希望する言語を指定すれば、電源をオフした場合でも、そのまま、電電をオンするだけで、前に指定した言語の音声データを入手することができ、ユーザにとってより便利なものになる。
【００４２】
また、本実施の形態では、目的地までの経路を移動端末装置１において探索し、その探索された経路情報をセンタ装置３に送信するようにしているが、移動端末装置１では、目的地までの経路探索を行わず、目的地をそのままセンタ装置３に送信し、センタ装置３において、目的地までの経路を探索し、探索された目的地までの経路案内に必要な音声データを指定された言語の音声データとして移動端末装置１に送信して来るように構成してもよい。
【００４３】
そして、この際には、センタ装置３に更に地図情報データベースを設け、センタ装置１より地図情報も同時に送信して来るように構成してもよい。このように構成すれば、移動端末装置１には、大きな地図情報を保有しなくても、都度、センタ装置３より必要な地図情報を入手することができ、移動端末装置１をより単純、小型化することが可能になる。
【００４４】
また、本実施の形態では、言語として、日本語、英語、フランス語、ドイツ語などを例に挙げているが、言語としては、その他の国も者であっても良く、また、方言やなまりのある各地の言語であっても良いことは言うまでもないことである。
【産業上の利用可能性】
【００４５】
以上のように、本発明のナビゲーションシステムは、移動端末装置には大きな容量の音声データ記憶装置を必要とせずに、希望する言語を移動端末装置で指定することにより、センタ装置より希望する言語の現在位置に関連する案内をするための、例えば、地名、施設名などの案内用の音声データを入手することができ、現在位置に関連する案内を希望する言語で行うことができるので、例えば車や電車などの車両や、携帯電話等の携帯端末やなどの各種のナビゲーション装置に利用できる。
【図面の簡単な説明】
【００４６】
【図１】本発明の一実施の形態におけるナビゲーションシステムの概略構成を示すブロック図
【図２】本発明の一実施の形態におけるナビゲーションシステムの動作を示すフローチャート
【符号の説明】
【００４７】
１  移動端末装置
２  ネットワーク
３  センタ装置
１１  ナビゲーション部
１２  操作部
１３  ナビゲーション表示部
１４  音声データ記憶部
１５  音声出力部
１６、３１  送受信部
１７、３３  制御部
３２  音声データベース
【図１】
2005249652.tif 000003
【図２】
2005249652.tif 000004